(57)【要約】  【課題】反射体18の接地を確保する。  【解決手段】器具本体11の基板部26に、下方に向かって舌片部37を切り起こした切り起こし部35を形成する。制光体21の反射体18に、上方を開口した切り欠き部47を形成する。舌片部37の本体側縁部と、切り欠き部47の反射体側縁部とでは、導電性を有する基板が露出する。器具本体11に下方から反射体18を取り付けることにより、切り欠き部47に切り起こし部35を挿入し、本体側縁部と反射体側縁部とを当接して、器具本体11と反射体18とを電気的に接続できる。器具本体11を介して、反射体18を備えた制光体21の接地を確保できる。  【選択図】図１
2006179330.tif 000002
【特許請求の範囲】
【請求項１】
導電性を有する基板の表面を絶縁性を有する絶縁膜で覆った基板部及びこの基板部から所定方向に切り起こし基板が露出する本体側縁部を設けた切り起こし部を備えた器具本体と；
導電性を有する基板の表面を絶縁性を有する絶縁膜で覆った反射体本体部及びこの反射体本体部を切り欠いて基板が露出する反射体側縁部を設けた切り欠き部を備え、切り起こし部の少なくとも一部が切り欠き部に挿入され、切り起こし部の本体側縁部と切り欠き部の反射体側縁部とが当接する状態で器具本体に所定方向の反対方向に向かって取り付けられる反射体と；
を具備していることを特徴とする照明器具。
【請求項２】
切り起こし部は、基板部の回転対称位置にそれぞれ設けられた
ことを特徴とする請求項１記載の照明器具。
【発明の詳細な説明】
【技術分野】
【０００１】
本発明は、反射体を備えた照明器具に関する。
【背景技術】
【０００２】
従来、器具本体に反射体を取り付けた照明器具が用いられている。そして、器具本体は、器具本体にねじにて取り付けた電源端子台のアース端子を接続して、接地が確保されている。また、反射体は、器具本体に取り付けた取付ばねなどを用いて器具本体に取り付けられている。ここで、反射体は、必ずしも接地は求められていなかったが、国際電気標準会議(ＩＥＣ)に整合化されるＪＩＳ８１０５−１では、照明器具の外郭部での接地が求められ、すなわち反射体を取り付けた照明器具では、器具本体のみならず反射体についても接地を確保することが求められている。
【０００３】
この点、専用の別体の導通性部材を用いて、器具本体と反射体とを接続する構成が知られている(例えば、特許文献１参照。)。
【特許文献１】特開２００４−２７３２３９号公報
【発明の開示】
【発明が解決しようとする課題】
【０００４】
しかしながら、別体の導通性部材を用いる構成では、部品点数が増加し、また、導通性部材を器具本体と反射体とに接続する作業が必要になり、製造コストの低減が困難になり、また、反射体を着脱する作業が煩雑になる問題を有している。
【０００５】
本発明は、このような点に鑑みなされたもので、器具本体と反射体とを容易に電気的に接続でき、反射体の接地を確保できる照明器具を提供することを目的とする。
【課題を解決するための手段】
【０００６】
請求項１記載の照明器具は、導電性を有する基板の表面を絶縁性を有する絶縁膜で覆った基板部及びこの基板部から所定方向に切り起こし基板が露出する本体側縁部を設けた切り起こし部を備えた器具本体と；導電性を有する基板の表面を絶縁性を有する絶縁膜で覆った反射体本体部及びこの反射体本体部を切り欠いて基板が露出する反射体側縁部を設けた切り欠き部を備え、切り起こし部の少なくとも一部が切り欠き部に挿入され、切り起こし部の本体側縁部と切り欠き部の反射体側縁部とが当接する状態で器具本体に所定方向の反対方向に向かって取り付けられる反射体と；を具備しているものである。
【０００７】
そして、この構成では、器具本体に反射体を取り付けることにより、切り欠き部に切り起こし部が挿入され、本体側縁部と反射体側縁部とが当接して、器具本体と反射体とが電気的に接続され、器具本体を介して反射体の接地が確保される。器具本体に所定方向の反対方向に向かって反射体を取り付ける際に、所定方向に切り起こした切り起こし部が必要に応じて変形して、反射体の器具本体への取付位置や製造時の寸法の差が吸収され、器具本体と反射体とが確実に電気的に接続される。切り起こし部及び切り欠き部は容易に形成されるとともに、器具本体及び反射体とは別体の部品を用いる必要がなく、部品点数を削減して、製造コストが低減される。反射体を器具本体に取り付けるのみで、器具本体と反射体とが電気的に接続され、別個の接続作業が必要ないため、反射体を着脱する作業が容易になる。
【０００８】
請求項２記載の照明器具は、請求項１記載の照明器具において、切り起こし部は、基板部の回転対称位置にそれぞれ設けられたものである。
【０００９】
例えば、基板部の中心位置を中心として、互いに回転対称の２カ所に切り起こし部が設けられる。
【００１０】
そして、この構成では、反射体を器具本体に取り付ける際に方向性を意識する必要がなくなり、反射体を着脱する作業が容易になる。切り欠き部を設けていない位置に対応する切り起こし部は、反射体に押圧されて、切り起こした方向の反対方向に変形し、反射体の取付作業に影響を及ぼさない。反射体には、１カ所に切り欠き部を備えれば良く、反射体の構造が簡略化される。
【発明の効果】
【００１１】
請求項１記載の照明器具によれば、器具本体に反射体を取り付けることにより、切り欠き部に切り起こし部が挿入され、本体側縁部と反射体側縁部とが当接して、器具本体と反射体とを電気的に接続でき、器具本体を介して反射体の接地を確保できる。器具本体に所定方向の反対方向に向かって反射体を取り付ける際に、所定方向に切り起こした切り起こし部が必要に応じて変形して、反射体の器具本体への取付位置や製造時の寸法の差を吸収し、器具本体と反射体とを確実に電気的に接続できる。切り起こし部及び切り欠き部は容易に形成できるとともに、器具本体及び反射体とは別体の部品を用いる必要がなく、部品点数を削減して、製造コストを低減できる。反射体を器具本体に取り付けるのみで、器具本体と反射体とが電気的に接続でき、別個の接続作業が必要ないため、反射体を着脱する作業を容易にできる。
【００１２】
請求項２記載の照明器具によれば、請求項１記載の効果に加え、反射体を器具本体に取り付ける際に方向性を意識する必要がなくなり、反射体を着脱する作業を容易にできる。切り欠き部を設けていない位置に対応する切り起こし部は、反射体に押圧されて、切り起こした方向の反対方向に変形し、反射体の取付作業に影響を及ぼさない。反射体には、１カ所に切り欠き部を備えれば良く、反射体の構造を簡略化できる。
【発明を実施するための最良の形態】
【００１３】
以下、本発明の照明器具の一実施の形態を図面を参照して説明する。
【００１４】
図１は本発明の照明器具の一実施の形態を示す分解状態の斜視図である。図２は同上照明器具の斜視図である。図３は同上照明器具の組み立て工程を示す端面からみた説明図である。図４は同上照明器具の一部を切り欠いた端面図である。図５は同上照明器具の器具本体の底面図である。図６は同上照明器具の切り起こし部を示す一部を拡大した底面図である。図７は同上照明器具の切り欠き部を示す一部を拡大した底面図である。図８は同上照明器具の組み立て工程を示す一部を拡大した説明図である。
【００１５】
図１ないし図４において、１は照明器具で、この照明器具１は、設置部である天井面に取り付けられる高周波点灯専用の蛍光灯器具で、器具本体11と、この器具本体11に取り付けられる端子台12、高周波点灯用の安定器である点灯装置14、ランプソケット15、ランプホルダ16、直管形の蛍光ランプであるランプＬ、制光体取付手段である取付ばね17、及び、反射体18にバッフル19を取り付けた制光体21などを備えている。
【００１６】
そして、器具本体11は、基板としての導電性を有する金属板の表面を、絶縁性を有する絶縁膜としての白色のメラミン焼き付け塗装による塗膜で覆った部材により一体にあるいは複数の部材を組み合わせて形成され、本実施の形態では、本体部23と、この本体部23の長手方向の両端部に溶接などして取り付けられたエンドプレートである一対の端板部24とから構成されている。そして、本体部23は、主反射板部となる細長矩形状の水平な基板部26と、この基板部26の両側部から下方に向かって拡開状に傾斜した傾斜板部27と、この傾斜板部27の下端部から両側に向かう枠部28と、この枠部28の外側の端部から上側に向かう垂直な側板部29とを備えている。そして、基板部26には、端子台12、点灯装置14、ランプソケット15、ランプホルダ16、及び取付ばね17が取り付けられているとともに、電源線及びアース線などが導入される電源用孔31及び取り付け用のボルト用孔32が形成されている。また、端子台12、点灯装置14、及びランプソケット15は、互いに配線により電気的に接続されている。さらに、器具本体11に取り付けられた点灯装置14、ランプソケット15、ランプホルダ16、及び取付ばね17などは、端子台12に対して電気的に接続され、この端子台12を介してアースすなわち接地すなわち保護接地される。また、器具本体11には、図示しない金具引掛部が２カ所に形成されている。
【００１７】
さらに、基板部26には、１カ所あるいは複数カ所に、本実施の形態では、基板部26の両端部近傍かつ傾斜板部27近傍に位置して、基板部26の中心となる電源用孔31を中心とした回転対称位置の２カ所を切り起こして、切り起こし部35が設けられている。各切り起こし部35は、図６などに示すように、基板部26を略コの字状に打ち抜いて形成された打ち抜き部36と、この打ち抜き部36に３方を囲まれるとともに一方が基板部26の他の部分に連設する舌片部37とを備えており、舌片部37の基端部38以外の位置に形成される縁部が、導電性を有する基板が露出する本体側縁部39となっている。そして、舌片部37は、図８(a)などに示すように、基端部38を折り線として所定方向としての下方Ａに傾斜して折曲されている。
【００１８】
また、制光体21は、反射体18に複数のバッフル19を取り付けて構成されている。そして、各反射体18及びバッフル19は、器具本体11と同様に、基板としての導電性を有する金属板の表面を、絶縁性を有する絶縁膜としての白色のメラミン焼き付け塗装による塗膜で覆った部材により構成されている。また、反射体18は、バッフル支持具を兼ねたもので、図３などに示すように、細長矩形状の板体を幅方向の中央部を折り線として折曲した山形の反射板部である反射体本体部41が設けられている。そして、この反射体本体部41には、両側の上縁部が折曲され、さらに内側に向かって略筒状となるように折り返された一対の取付縁部42が設けられている。そして、取付縁部42には、取付ばね17の位置に対応して、図示しない取付ばね受け部が形成されている。また、各バッフル19は、板状で、反射体18に形成された溝部に挿入された上、溶接などされ、互いに平行となるように配置されている。また、制光体21には、図１に示すように、先端部に金具44を取り付けた吊りひも45が２カ所に取り付けられている。
【００１９】
さらに、反射体18には、１カ所あるいは複数カ所に、本実施の形態では、切り起こし部35に対応する位置の一方に位置し、取付縁部42の上縁部の１カ所を切り欠いて、切り欠き部47が設けられている。この切り欠き部47は、例えば、図７及び図８などに示すように、取付縁部42を筒状に折り曲げる前に部材を矩形状に打ち抜いて形成され、取付縁部42を筒状に折り曲げた状態で、所定方向である下方Ａの反体側である上方に向かって開口し、この開口部分を囲んで、導電性を有する基板が露出する反射体側縁部49が形成されている。
【００２０】
次に、この照明器具１の天井面への設置作業を説明する。
【００２１】
まず、天井内に配線された電源線及びアース線を電源用孔31などから器具本体11の内側に導入した状態で、図１に示すように、天井から下方に突設された２本の取付ボルト51をいずれか適合するボルト用孔32に挿入し、下側から座金52とともにナット53を螺合して締め付け、天井面に器具本体11を密着して取り付ける。次いで、電源線及びアース線を端子台12に接続し、配線作業を行うとともに、この端子台12を介して、器具本体11などが接地すなわちアースされる。次いで、器具本体11の両端部に相対向して取り付けられたランプソケット15間にそれぞれランプＬを装着するとともに、各ランプＬの中間位置をそれぞれランプホルダ16で支持する。
【００２２】
次いで、器具本体11の金具引掛部に金具44を引っ掛け、吊りひも45を介して制光体21を器具本体11に連結した状態で、図３に示す状態から、制光体21を器具本体11に向かって上方に押し上げる。すると、図４に示すように、取付ばね17が反射体18の取付ばね受け部に係合し、制光体21が器具本体11の所定位置に取り付けられる。この状態で、端子台12及び点灯装置14などが反射体18に覆われるとともに、反射体18の反射体本体部41がランプＬに光学的に対向する。さらに、制光体21を器具本体11に向かって上方に押し上げると、図８(a)及び(b)に示すように、一方の切り起こし部35の下方に切り起こされた舌片部37が上方に開口した切り欠き部47に挿入され、切り起こし部35の本体側縁部39と切り欠き部47の反射体側縁部49とが当接して、器具本体11と反射体18とが電気的に接続される。また、反射体18と各バッフル19とは機械的及び電気的に接続されており、この結果、器具本体11を介して、制光体21の接地が確保される。
【００２３】
このように、本実施の形態の照明器具によれば、器具本体11に反射体18を取り付けることにより、切り欠き部47に切り起こし部35が挿入され、本体側縁部39と反射体側縁部49とが当接して、器具本体11と反射体18とを電気的に接続でき、器具本体11を介して反射体18を備えた制光体21の接地を確保できる。
【００２４】
また、器具本体11に上方に向かって反射体18を取り付ける際に、下方Ａに切り起こした切り起こし部35の舌片部37が必要に応じて変形して、反射体18の器具本体11への取付位置や製造時の寸法の差を吸収し、器具本体11と反射体18とを確実に電気的に接続できる。
【００２５】
さらに、切り起こし部35及び切り欠き部47はプレス成形などにより容易に形成できるとともに、器具本体11及び反射体18とは別体の部品を用いる必要がなく、部品点数を削減して、製造コストを低減できる。
【００２６】
また、反射体18を下方から上方に向かって器具本体11に取り付けるのみで、器具本体11と反射体18とが電気的に接続でき、別個の接続作業が必要ないため、反射体18を着脱する作業を容易にできる。
【００２７】
また、切り起こし部35は、器具本体11の基板部26の回転対称位置にそれぞれ設けたため、反射体18を器具本体11に取り付ける際に方向性を意識する必要がなくなり、反射体18を器具本体11に着脱する作業を容易にできる。なお、切り欠き部47を設けていない位置に対応する切り起こし部35は、反射体18に押圧されて、切り起こした方向すなわち下方Ａの反対方向である上方に変形し、反射体18の取付作業に影響を及ぼさない。
【００２８】
さらに、反射体18には、１カ所に切り欠き部を備えれば良く、細い部分などが多く加工が容易でない反射体18の構造を簡略化できる。
【００２９】
なお、上記の実施の形態では、器具本体11の基板部26の２カ所に切り起こし部35を設け、制光体21の反射体18の１カ所に切り欠き部47を設けたが、この構成に限られず、器具本体11の基板部26の１カ所のみに切り起こし部35を設けるとともに、制光体21の反射体18の１カ所のみに切り欠き部47を設け、構造を簡略化することもできる。また、器具本体11の基板部26の２カ所以上に切り起こし部35を設けるとともに、制光体21の反射体18の２カ所以上に切り欠き部47を設け、電気的な接続をより確実にすることもできる。
【００３０】
また、制光体21は、反射体18のみとし、バッフル19を設けないこともできる。さらに、反射体18の形状は、下面が平面状となるものなど、種々の形状を採ることができる。
【産業上の利用可能性】
【００３１】
本発明は、例えば、天井面に取り付けられ、蛍光灯を用いた照明器具に用いられる。
【図面の簡単な説明】
【００３２】
【図１】本発明の照明器具の一実施の形態を示す分解状態の斜視図である。
【図２】同上照明器具の斜視図である。
【図３】同上照明器具の組み立て工程を示す端面からみた説明図である。
【図４】同上照明器具の一部を切り欠いた端面図である。
【図５】同上照明器具の器具本体の底面図である。
【図６】同上照明器具の切り起こし部を示す一部を拡大した底面図である。
【図７】同上照明器具の切り欠き部を示す一部を拡大した底面図である。
【図８】同上照明器具の組み立て工程を示す一部を拡大した説明図である。
【符号の説明】
【００３３】
１    照明器具
11    器具本体
18    反射体
26    基板部
35    切り起こし部
39    本体側縁部
41    反射体本体部
47    切り欠き部
49    反射体側縁部
Ａ    所定方向としての下方
【図１】
2006179330.tif 000003
【図２】
2006179330.tif 000004
【図３】
2006179330.tif 000005
【図４】
2006179330.tif 000006
【図５】
2006179330.tif 000007
【図６】
2006179330.tif 000008
【図７】
2006179330.tif 000009
【図８】
2006179330.tif 000010